(57)【要約】  コスト増加を抑え、たばこ製品を購入していない者が情報コードを読み取ることを抑制でき、且つ、たばこ製品の購入者に情報コードの存在を容易に認知させることが可能なたばこパッケージを提供する。たばこパッケージは、たばこ製品を包装する包装体と、包装体の外面に表示されて読み取り装置によって読み取り可能な情報コードと、包装体を包みこむ透明の外装フィルムと、外装フィルムの一部として形成され且つ情報コードの少なくとも一部を隠蔽する隠蔽部と、を備える。
2015162729.tif 000002
【特許請求の範囲】
【請求項１】
たばこ製品を包装する包装体と、
前記包装体の外面に表示され、読み取り装置によって読み取り可能な情報コードと、
前記包装体を包みこむ透明の外装フィルムと、
前記外装フィルムの一部として形成され、且つ、前記情報コードの少なくとも一部を隠蔽する隠蔽部と、
を備えるたばこパッケージ。
【請求項２】
前記隠蔽部は、前記情報コードの一部を隠蔽する、請求項１に記載のたばこパッケージ。
【請求項３】
前記情報コードの全体に対する前記隠蔽部が隠蔽する部分の面積割合が、前記情報コードの誤り訂正能力のレベルに対応付けて設定されている復元率よりも大きい、請求項２に記載のたばこパッケージ。
【請求項４】
前記隠蔽部は、前記外装フィルムを開封するために当該外装フィルムと一体に形成されている不透明の開封テープを含んで構成されている、請求項１から３の何れか一項に記載のたばこパッケージ。
【請求項５】
前記隠蔽部は、前記外装フィルムに不透明インキで印刷された印刷領域を含んで構成されている、請求項１から４の何れか一項に記載のたばこパッケージ。
【発明の詳細な説明】
【技術分野】
【０００１】
本発明は、たばこパッケージに関する。
【背景技術】
【０００２】
たばこ製品を収容（包装）するたばこパッケージとして、ソフトパッケージ、ハードパッケージなどが公知である。また、ハードパッケージとしては、ヒンジ蓋を有するヒンジリッドパッケージに代表されるボックス型パッケージが広く知られている。【０００３】
従来、たばこ製品の宣伝や販売促進のための各種の方法が提案されている。例えば、パッケージデザインを特別に設計した限定品を市場に投入したり、おまけを付属したものを販売する方法が一例である。また、たばこパッケージの購入者を対象に、その製品に添付された応募用紙をハガキに貼付したり専用の応募ハガキを使用したりして応募することを条件として、応募者に物品や賞品を提供するクローズド懸賞が製品の宣伝や販売促進のために実施される場合もある。しかし、このような懸賞方法は、懸賞の主催者側では応募ハガキの内容確認や、応募者情報の入力作業などの手続きに手間を要する一方、応募者側でもハガキを投函しなければならないために応募手続きが面倒となる場合がある。【０００４】
そこで、近年では、バーコードや２次元コード等の情報コードを製品に付し、バーコードリーダー等の読み取り装置を用いて情報コードが表す情報を読み取り、通信装置等により懸賞に応募する懸賞システムが実用化されている。例えば、上記情報コードの読み取り機能付きのカメラ付き携帯電話を用いてデコードを行い、携帯電話の通信機能を使用して懸賞の応募を行うための特定のウェブサイト（例えば、キャンペーンサイト）にアクセスすることができる。【０００５】
ところで、この種のシステムをクローズド懸賞に適用する場合、たばこ製品入りのたばこパッケージを購入していない者による応募を排除する必要がある。そこで、キャンペーンサイトにアクセスするためのＵＲＬや電子メールアドレスの情報をコード化した情報コードを、たばこパッケージの内面(例えば、ヒンジリッドパッケージにおける蓋の裏面や、インナーフレームの表面等)に印刷したり、情報コードを印刷した印刷物である「クーポン」をたばこパッケージの内部にたばこ製品と同封する手法が採用される場合がある。このクーポンは、カードの形態で作られていることが多く、インサーターとも呼ばれている。たばこパッケージの内面、特にヒンジリッドパッケージにおける蓋の裏面に情報コードを印刷する場合は、ニス等を塗布しない非コート面に印刷されることがある。非コート面に印刷が施される場合、印刷が滲んでしまう虞がある。そのため、印刷再現性が損なわれることを抑制するために、比較的大きな情報コード(例えば一辺のサイズが７ｍｍ以上)が印刷されることが一般的である。
【先行技術文献】
【特許文献】
【０００６】
【特許文献１】特開２００５−２９８０１８号公報
【発明の概要】
【発明が解決しようとする課題】
【０００７】
上記従来技術のように、情報コードが表示されたクーポンをたばこパッケージに同封する場合、クーポンの製造コストが余計に掛かるという課題がある。また、たばこパッケージの内面に情報コードを印刷する場合、たばこ製品の購入者（すなわち喫煙者）に情報コードの存在を認知させる必要がある。その点、ヒンジリッドパッケージであれば、リッド部分の内面等にコード情報を付すことで喫煙者にその存在を認知させることが容易であるが、ソフトパッケージにおいては喫煙者が情報コードに気づかないまま廃棄されてしまう虞がある。また、ソフトパッケージの内側に付された情報コードの存在に喫煙者が気づいたとしても、読み取り装置によって情報コードを読み取るために、ソフトパッケージを分解する必要がある。【０００８】
本発明は、上記実情に鑑みてなされたものであって、その目的は、コスト増加を抑え、たばこ製品を購入していない者が情報コードを読み取ることを抑制でき、且つ、たばこ製品の購入者に情報コードの存在を容易に認知させることが可能なたばこパッケージを提供することにある。
【課題を解決するための手段】
【０００９】
本発明は、上記課題を解決するために、たばこパッケージにおける包装体の外面に読み取り装置によって読み取り可能な情報コードを表示し、且つ、包装体を包みこむ透明の外装フィルムの一部に情報コードの少なくとも一部を隠蔽する隠蔽部を形成することとした。【００１０】
より詳しくは、本発明に係るたばこパッケージは、たばこ製品を包装する包装体と、前記包装体の外面に表示され、読み取り装置によって読み取り可能な情報コードと、前記包装体を包みこむ透明の外装フィルムと、前記外装フィルムの一部として形成され、且つ、前記情報コードの少なくとも一部を隠蔽する隠蔽部と、を備えることを特徴とする。【００１１】
本発明に係るたばこパッケージによれば、情報コードの少なくとも一部が隠蔽部によって隠蔽されているため、たばこパッケージを購入していない非購入者は情報コードを読み取ることができず、非購入者による懸賞への応募を排除することが可能となる。また、たばこパッケージの購入者にとってみれば、開封後に外装フィルムを取り除く等によって、隠蔽部によって隠蔽されていた情報コードを露出することができる。これにより、たばこパッケージの開封後において情報コードを容易に読み取り、キャンペーンサイトにアクセスして懸賞に応募することができる。【００１２】
また、本発明においては、包装体の外面に情報コードが表示されているため、少なくともたばこパッケージの開封後に情報コードの存在を正規購入者（喫煙者）に認知させることができる。更に、包装体の外面に情報コードが表示することで、たばこパッケージを分解する手間を掛けずに正規購入者が容易に情報コードを読み取ることができる。また、本発明における隠蔽部は、外装フィルムの一部として形成されており、情報コードの読み取りを防ぐという目的のために新たな部材を何ら追加することなく情報コードの読み取りを防ぐことができる。以上より、本発明に係るたばこパッケージによれば、コスト増加を伴わずにたばこ製品を購入していない者が情報コードを読み取ることを抑制でき、且つ、たばこ製品の購入者に情報コードの存在を容易に認知させることができる。【００１３】
また、本発明に係るたばこパッケージにおいて、前記隠蔽部は、前記情報コードの一部を隠蔽するように構成されていてもよい。このように、情報コードの一部を露出させ、可視の状態にしておくことで、たばこパッケージの購入前における情報コードの読み取りを防ぎつつ、たばこパッケージの購買意欲を増進させることができる。また、情報コードの存在を、たばこパッケージの正規購入者に認知させやすくなるという利点もある。【００１４】
また、本発明に係るたばこパッケージにおいて、前記情報コードの全体に対する前記隠蔽部が隠蔽する部分の面積割合が、前記情報コードの誤り訂正能力のレベルに対応付けて設定されている復元率よりも大きいことが好ましい。これにより、たばこパッケージを正規に購入していない非購入者による情報コードの読み取りを、より確実に防ぐことが可能となる。【００１５】
また、本発明に係るたばこパッケージにおいて、前記隠蔽部は、前記外装フィルムを開封するために当該外装フィルムと一体に形成されている不透明の開封テープを含んで構成されていてもよい。また、本発明に係るたばこパッケージにおいて、前記隠蔽部は、前記外装フィルムに不透明インキで印刷された印刷領域を含んで構成されていてもよい。【００１６】
なお、本発明における課題を解決するための手段は、可能な限り組み合わせて採用することができる。
【発明の効果】
【００１７】
本発明によれば、コスト増加を伴わずにたばこ製品を購入していない者が情報コードを読み取ることを抑制でき、且つ、たばこ製品の購入者に情報コードの存在を容易に認知させることが可能なたばこパッケージを提供できる。
【図面の簡単な説明】
【００１８】
【図１】図１は、実施形態１に係るたばこパッケージの外観図である。
【図２】図２は、実施形態１におけるたばこパッケージの隠蔽部を説明する図である。
【図３】図３は、実施形態１に係る開封後のたばこパッケージを示す図である。
【図４】図４は、実施形態２に係るたばこパッケージの外観図である。
【図５】図５は、実施形態２に係る開封後のたばこパッケージを示す図である。
【発明を実施するための形態】
【００１９】
以下、本発明に係るたばこパッケージの実施形態について、図面を参照して詳しく説明する。実施形態に記載されている構成要素の寸法、材質、形状、その相対配置等は、特に特定的な記載がない限りは、発明の技術的範囲をそれらのみに限定する趣旨のものではない。
＜実施形態１＞
図１は、実施形態１に係るたばこパッケージ１の外観図である。たばこパッケージ１は、たばこ製品の一例であるフィルタシガレットを収容（包装）するソフトパッケージである。図１は、未開封のたばこパッケージ１が示されている。たばこパッケージ１は、略直方体形状の外観を有するインナパック１０を含む。インナパック１０は、例えば２０本のシガレットが３段に重ねられて形成されたシガレット束と、このシガレット束を包み込む内包紙を有する。インナパック１０の上面には、内包紙の一部を折り込むことで口折り部１１が形成されている。なお、図示されていないが、インナパック１０の底面側も、上面と同様に、内包紙が折り込まれている。シガレット束を包装する内包紙には、例えばアルミ蒸着紙が使用されているが、これには限定されない。例えば、フィルム貼り合わせ紙や透明フィルム、不透明フィルム、蝋紙等を用いることも可能である。また、インナパック１０に収容するシガレットの本数は適宜変更できる。
【００２０】
インナパック１０はその矩形の上面を除き、略直方体形状のエンベロープ１２によって覆われている。エンベロープ１２は、前面、後面、２つの側面および底面を有し、インナパック１０の上面が露出するようにインナパック１０を包装している。エンベロープ１２は、インナパック１０の回りに外包紙を折り込むことで形成されている。たばこパッケージ１は、更に、封かん用のシール１３を有する。このシール１３はエンベロープ１２の前面からインナパック１０の上面中央を経てエンベロープ１２の後面に延び、これらエンベロープ１２およびインナパック１０に貼付けられている。本実施形態においては、シガレット束を包装するインナパック１０の内包紙およびエンベロープ１２がたばこ製品を包装（収容）する包装体に相当する。
【００２１】
更に、たばこパッケージ１は透明な外装フィルム２を含む。外装フィルム２は、たばこパッケージ１全体を覆う外装材であり、エンベロープ１２と、そのエンベロープ１２に包装された状態のインナパック１０を包んでいる。外装フィルム２は、薄くて透明なフィルムであり、例えばポリプロピレン、セロファン、ポリエチレンテレフタレート、ポリエチレン等によって形成されている。但し、外装フィルム２の材料として、上掲以外の材料を用いてもよい。外装フィルム２は、開封テープ２１を開封するための開封テープ２１を有している。開封テープ２１は、エンベロープ１２の前面、後面、２つの側面）に沿って周回するように巻き掛けられた帯部材であり、外装フィルム２の裏面（内面）側に貼り付けられて一体となっている。なお、ここでいう外装フィルム２の裏面（内面）とは、エンベロープ１２の外面と向き合っている方の面である。開封テープ２１は、テアテープとも呼ばれ、たばこパッケージ１の開封時に喫煙者によって先端部が引っ張られることにより、外装フィルム２を引き裂いて開封するために用いられる。
【００２２】
エンベロープ１２の外面には、読み取り装置を用いて読み取り可能な情報コード３が印刷されている。本実施形態において、情報コード３は、２次元コードの一種であるＱＲコード（登録商標）からなる。情報コード３は、文字や数字などの情報をコード化したものである。なお、情報コード３を構成するＱＲコード（登録商標）は、例えば、キャンペーンサイトといった特定のウェブサイトにアクセスするためのＵＲＬや電子メールアドレスといった情報が図形シンボルによって表されている。たばこ製品（たばこパッケージ）の購入者は、例えば、カメラ付き携帯端末（例えば、カメラ付き携帯電話やカメラ付きスマートフォン等）を用いて情報コード３を読み取り、解読されたＵＲＬに接続することでキャンペーンサイトにアクセスし、懸賞に応募することができる。ここで、情報コード３の読み取り装置としては、カメラ付き携帯電話やカメラ付きスマートフォンの他、専用のコードリーダー、デジタルカメラ、カメラ付きパーソナルコンピュータ等を挙げることができるが、これらに限定されない。また、情報コード３としては、ＱＲコード（登録商標）に限られず、他の２次元コードを用いてもよい。また、２次元コード３の代わりに、１次元バーコードをエンベロープ１２の外面に付してもよい。
【００２３】
上記のような懸賞システムにおいては、たばこ製品（たばこパッケージ１）を購入していない者（以下、「非購入者」という）による応募を排除する必要がある。そこで、本実施形態におけるたばこパッケージ１は、非購入者によって情報コード３が勝手に読み取られることを防ぐための手段を備えている。具体的には、たばこパッケージ１は、情報コード３の少なくとも一部を隠蔽する隠蔽部４が、外装フィルム２の一部として形成されている。図２は、実施形態１におけるたばこパッケージ１の隠蔽部４を説明する図である。
【００２４】
隠蔽部４は、外装フィルム２を開封するために当該外装フィルム２と一体に形成されている不透明の開封テープ２１によって構成されている。すなわち、隠蔽部４は、外装フィルム２における開封テープ２１のうち、情報コード３の上に重なり合った部分によって構成されている（図２中、隠蔽部４に対応する領域をハッチングにて示す）。これにより、図１に示すように、たばこパッケージ１が開封されていない状態では、情報コード３の一部が隠蔽部４によって隠蔽されているため、たばこパッケージ１を購入していない非購入者が読み取り装置５を用いて情報コード３を読み取ることが規制される。これにより、たばこパッケージ１を正規に購入していない非購入者による懸賞への応募を排除することが可能となる。しかも、この方法によれば、たばこパッケージ１において、外装フィルム２を開封する開封テープ２１という、元々たばこパッケージ１に備えられている部材を用いて情報コード３が読み取られることを防いでおり、情報コード３の読み取りを防ぐために別途の部材を設けていてはいない。従って、情報コード３の読み取りを防ぐという目的のために新たな部材を何ら追加することなく、情報コード３の読み取りを防ぐことができる。これにより、従来のように、懸賞への応募に係る情報コードを印刷したクーポン等をパッケージ内にシガレットと一緒に同封する場合とは異なり、コストの増加を抑えつつ情報コードの読み取りを防ぐことができる。
【００２５】
一方、たばこパッケージ１を正規に購入した購入者においては、開封テープ２１の端部を引っ張り、開封テープ２１に沿って外装フィルム２を引き裂き、たばこパッケージ１を開封することで、図３に示すように、情報コード３の一部を隠蔽していた開封テープ２１の隠蔽部４が除去され、情報コード３の全体が露出するようになる。これにより、たばこパッケージ１の正規購入者においては、カメラ付き携帯電話等用いて情報コード３を読み取ることができる。よって、情報コード３を読み取ることで解読したＵＲＬに接続することでキャンペーンサイトにアクセスし、懸賞に応募することができる。なお、たばこパッケージ１の開封後においては、インナパック１０の上面を形成する内包紙の一部がシール１３を避けて破り取られることでインナパック１０の上面に開口が形成され、この開口を通じてシガレットの取り出しが可能となる。
【００２６】
また、本実施形態におけるたばこパッケージ１によれば、エンベロープ１２の外面に情報コード３を表示しているため、少なくともたばこパッケージ１の開封後において、情報コード３の存在をたばこパッケージ１の購入者に認知させることができる。更に、エンベロープ１２の外面に情報コード３を表示することで、たばこパッケージ１の開封後に、喫煙者（正規の購入者）がたばこパッケージ１を分解する手間を掛けずに容易に情報コード３を読み取ることができるという利点もある。
【００２７】
また、本実施形態では、情報コード３を隠蔽する隠蔽部４を、開封テープ２１、すなわち、たばこパッケージ１の開封時に除去される部材によって形成したので、たばこパッケージ１の開封後、正規購入者は容易に情報コード３を認識できる。これにより、たばこパッケージ１の正規購入者（喫煙者）が情報コード３の存在に気付かずにたばこパッケージ１を廃棄してしまうことを抑制できる。また、情報コード３の一部のみを隠蔽部４によって隠蔽する態様は、たばこパッケージ１が開封されていなくても情報コード３の一部が外部に露出された状態となる。これによれば、たばこパッケージ１の開封前から情報コード３の存在を正規購入者に気付かせ易い。また、購入前における情報コード３の不正な読み取りを防ぎつつ、たばこパッケージ１の購買意欲を増進させることができるという利点もある。
【００２８】
ところで、本実施形態におけるたばこパッケージ１は、エンベロープ１２の外面に表示された情報コード３の一部を開封テープ２１における隠蔽部４によって隠蔽しているが、隠蔽部４によって隠蔽する部分の面積は以下のように設定されている。具体的には、情報コード３の全体(全面積)に対する、隠蔽部４によって情報コード３が隠蔽される部分の面積の割合（以下、「隠蔽率」という）が、情報コード３に設定されている誤り訂正能力のレベルに対応付けて定められている復元率よりも大きく設定されている。
【００２９】
ここで、情報コード３に含まれるデータ（情報）には冗長性を持たせてあり、情報コード３の一部が汚れていたり破損していても、コード自信でデータを復元する機能を有している。上記の誤り訂正能力のレベルとは、情報コード３におけるデータを復元する能力のレベルを指す。情報コード３に設定されている誤り訂正能力のレベルが高いほど、情報コード３の汚れや破損の程度がより大きくなってもデータを読み取ることができる。一例として、ＱＲコード（登録商標）には、レベルＬ、レベルＭ、レベルＱ、レベルＨというように誤り訂正能力のレベルが４段階用意されており、レベル毎に復元率が設定されている。この復元率とは、情報コード３の一部が汚れていたり破損していても、コード自信でデータを復元することができる情報コード３の全コード面積に対する読み取り不可部分の面積比率の上限値である。例えば、レベルＬに対応する復元率は約７％、レベルＭに対応する復元率は約１５％、レベルＱに対応する復元率は約２５％、レベルＨに対応する復元率は約３０％に設定されている。本実施形態においては、情報コード３の誤り訂正能力のレベルに対応付けて設定されている復元率よりも、情報コード３の隠蔽率が大きくなるように隠蔽部４によって情報コード３を隠蔽するようにした。そのため、たばこパッケージ１を正規に購入していない非購入者による情報コード３の読み取りをより確実に防ぐことが可能となる。
また、テアテープによってＱＲコード（登録商標）の一部を隠蔽する場合は、ＱＲコード（登録商標）の誤り訂正能力のレベルをＭ若しくはＬとすることが好ましい。誤り訂正レベルが高い場合、高い復元能力を得られる反面、情報を読み取れないようにするためにＱＲコード（登録商標）のより広い面積を隠蔽しなければならない。たばこのパッケージにおいて、コストの増加を抑制しつつ、ＱＲコード（登録商標）を効果的に隠蔽するには、既存のテアテープの太さをあまり変更せずにＱＲコード（登録商標）を隠蔽できることが好ましく、そのためには誤り訂正能力のレベルをＭ若しくはＬとすることが好ましい。また、ＱＲコード（登録商標）の一辺当たりのサイズを７．３５〜９．７５ｍｍとすることが好ましい。これにより、テアテープの幅を大きく変更せずにＱＲコード（登録商標）を読み取り不可とすることができる。
【００３０】
さらに、情報コード３を印刷する場所はたばこパッケージ１の側面であることが好ましい。情報コード３はその中に保有しようとする情報量によってその面積が大きくなる。特にユーザーがキャンペーンサイトへのアクセスをワンアクションで行おうとすると情報コード３に含まれる情報量は多くなり、情報コード３の面積は大きくなりがちである。一方、面積の大きな情報コード３はパッケージデザインの観点からは美観性を損なう虞がある。そこで、パッケージ陳列時に目立つ正面や背面に情報コード３を付与する場合に比べて、パッケージの側面に情報コード３を付与する方が、たばこパッケージ１の美観性を確保する観点から好ましい。
【００３１】
なお、本実施形態においては、隠蔽部４によって情報コード３の一部を隠蔽するように構成したが、情報コード３の全体を隠蔽部４で隠蔽しても構わない。外装フィルム２と一体に設けられている開封テープ２１によって隠蔽部４が形成されており、開封テープ２１が開封時に除去されることで情報コード３が露出するため、喫煙者は情報コード３の存在に容易に気付くことができる。また、本実施形態に係るたばこパッケージ１においては、開封テープ２１の幅を一定にしているがこれには限られない。例えば、開封テープ２１のうち、隠蔽部４を形成する部分、すなわち情報コード３を覆う部分だけを他の部分に比べて拡幅してもよい。これによれば、開封テープ２１の使用量をより少なくすることができるため、パッケージの製造コストを低減できる。
【００３２】
また、図１乃至３において符号３１で示されるように、情報コード３としてのＱＲコード（登録商標）の３つの隅（角）部には四角形の切り出しシンボル(位置検出パターン、ファインダパターン)が配置されている。この切り出しシンボル３１は、ＱＲコード（登録商標）を読み取り装置によって３６０°どの方向からから読み取っても正確に情報が読み出せるようにするための図形である。そして、切り出しシンボル３１が読み取ることができないとＱＲコード（登録商標）自体が読み取ることができない。そこで、本実施形態におけるたばこパッケージ１においては、不透明の開封テープ２１の一部として構成される隠蔽部４によって、切り出しシンボル３１を隠蔽してもよい。このように、情報コード３における情報の読み取りを規制する特定部位を隠蔽することで、購入前における情報コード３の読み取りを好適に防ぐことができる。また、この態様においても、購入前における情報コード３の不正な読み取りを規制しつつ、情報コード３の一部が露出した状態に保たれるため、たばこパッケージ１の購買意欲を増進させることができる。
＜実施形態２＞
次に、実施形態２について説明する。図４は、実施形態２に係るたばこパッケージ１の外観図である。図４には、開封前のたばこパッケージ１Ａが示されている。ここでは、図１で説明したたばこパッケージ１と本実施形態に係るたばこパッケージ１Ａとの相違部分を中心に説明する。本実施形態に係るたばこパッケージ１Ａにおいても、エンベロープ１２の外面に表示されている情報コード３の少なくとも一部を隠蔽する隠蔽部４Ａを備えている。本実施形態においても、隠蔽部４Ａは、パッケージの全体を覆う外装材である外装フィルム１６の一部として形成されている。本実施形態における隠蔽部４Ａは、外装フィルム１６に不透明インキで印刷された印刷領域（以下、「不透明インキ印刷部」という）によって構成されている。すなわち、隠蔽部４Ａは、開封テープ２１によって情報コード３を隠蔽する代わりに、外装フィルム１６における不透明インキ印刷部によって情報コード３を隠蔽している。なお、たばこパッケージ１Ａにおいても、情報コード３の隠蔽率は、情報コード３の誤り訂正能力のレベルに対応付けて設定されている復元率よりも大きく設定されている。
【００３３】
本実施形態におけるたばこパッケージ１Ａによれば、実施形態１におけるたばこパッケージ１と同様、たばこパッケージ１Ａを購入していない非購入者が情報コード３を読み取ることを防ぎ、当該非購入者による懸賞への応募を排除できるという効果を奏する。また、本実施形態の隠蔽部４Ａにおいても、外装フィルム２の一部として構成されており、情報コード３の読み取りを防ぐために別途の部材を別途追加する必要がないため、コストの増加を避けることができる。
【００３４】
図５は、実施形態２における開封後のたばこパッケージ１Ａを示す図である。本実施形態に係るたばこパッケージ１Ａによれば、開封時に外装フィルム２が取り除かれることで、隠蔽部４Ａによる情報コード３の隠蔽が解除される。これにより、たばこパッケージ１Ａの正規購入者は容易に情報コード３を読み取ることができる。なお、図４に示すように、たばこパッケージ１Ａは、隠蔽部４Ａによって情報コード３の一部を隠蔽している。このように、情報コード３のうち、隠蔽部４Ａによって隠蔽されていない部分を可視の状態にしておくことで、情報コード３の存在を正規購入者に気付かせることができる。これにより、情報コード３の存在に正規購入者が気付かずに、たばこパッケージ１Ａを廃棄してしまうことを抑制することができる。また、情報コード３の一部を可視の状態にしておくことで、開封前における情報コード３の読み取りを規制しつつ、消費者におけるたばこパッケージ１Ａの購買意欲を増進できるという利点もある。
【００３５】
ところで、外装フィルム２の下部領域は、たばこパッケージ１Ａの開封後においても、喫煙者によってエンベロープ１２の周囲に残留されることも多い。一方、外装フィルム２のうち、開封テープ２１よりも上方の上部領域は、インナパック１０の上面を形成する内包紙の一部を破り取ってシガレットの取り出し口を形成する際に、喫煙者によって除去されることになる。
【００３６】
そこで、開封後もエンベロープ１２の周囲に残留する可能性がある外装フィルム２の下部領域に隠蔽部４Ａを形成する場合、隠蔽部４Ａによって情報コード３の一部を隠蔽し、残部を可視の状態にしておくことが、情報コード３の存在を正規購入者に認知させる観点から好ましい。但し、情報コード３の全体を隠蔽部４Ａによって隠蔽しても構わない。
【００３７】
また、外装フィルム２の上部領域に隠蔽部４Ａを形成してもよく、このような態様は、開封後に情報コード３の存在を正規購入者に認知させる観点から好ましい態様といえる。このような形態では、たばこパッケージ１Ａの開封時に、隠蔽部４Ａを含む外装フィルム２の上部領域が喫煙者によって除去されるため、喫煙者は情報コード３の存在を容易に認知できる。特に、隠蔽部４Ａによって情報コード３の全体を隠蔽する場合には、外装フィルム２の上部領域に隠蔽部４Ａを形成することが好ましい。これにより、たばこパッケージ１Ａの開封時に、情報コード３を容易に喫煙者が認知することができる。なお、本実施形態に係るたばこパッケージ１Ａにおいても、情報コード３の切り出しシンボル３１を隠蔽部４Ａによって隠蔽することで、パッケージ購入前の不正な読み取りを規制してもよい。
【００３８】
以上、本発明の好適な実施形態を説明したが、実施形態に係るたばこパッケージは種々の変更、改良、組み合わせ等が可能である。例えば、上述までの実施形態では、本発明をソフトパッケージに適用する場合を例に説明したが、ヒンジリッドパッケージ等のハードパッケージに適用してもよい。これによって、従来の情報コードを印刷したインサーターをパッケージに収容する場合と比べて、製造コストを抑えることができる。また、たばこパッケージには、例えば、シガー、シガリロ、電子たばこ等といったシガレット以外のたばこ製品を収容してもよい。また、たばこパッケージの包装体の外面に複数の情報コードを表示し、各情報コードを外装フィルムの一部として形成された開封テープや不透明インキ印刷部などの隠蔽部によって隠蔽してもよい。さらに、開封テープや不透明インキ印刷部等の隠蔽部の表面にはパッケージに情報コードが付与されていることを示すメッセージが印刷されていてもよい。これによって情報コードの存在をより確実にユーザーに認識させることが可能となる。なお、情報コードを印刷する手法としては、グラビア印刷機、オフセット印刷機、パッケージブランクの加工機、パッケージブランクの打抜機、検査機等にインクジェット装置を設置して印字することが生産性やコストの面から好ましい。
【符号の説明】
【００３９】
１，１Ａ・・・たばこパッケージ
２・・・外装フィルム
３・・・情報コード
４，４Ａ・・・隠蔽部
１０・・・インナパック
１２・・・エンベロープ
２１・・・開封テープ
【図１】
2015162729.tif 000003
【図２】
2015162729.tif 000004
【図３】
2015162729.tif 000005
【図４】
2015162729.tif 000006
【図５】
2015162729.tif 000007
【国際調査報告】
2015162729.tif 000008
2015162729.tif 000009
2015162729.tif 000010
2015162729.tif 000011